(57)【要約】 【課題】  本発明は、押さえ巻きに使用していたフィルムを利用して、ケーブルの表面に複雑な文字や図柄でも簡単に入れ、しかも見た目がきれいに仕上げることができる図柄入りフィルム巻付ケーブルを提供することを目的とするものである。【解決手段】  本発明は、同軸ケーブル、ＬＡＮケーブル又は光ファイバケーブル等の通信用のケーブルと予め文字や図柄等を入れたフィルムとからなり、前記フィルムを前記ケーブルの上に螺旋状に巻き付けたことを特徴とする図柄入りフィルム巻付ケーブルの構成とした。【選択図】  図１
2005190920.tif 000002
【特許請求の範囲】
【請求項１】
同軸ケーブル、ＬＡＮケーブル又は光ファイバケーブル等の通信用のケーブルと予め文字や図柄等を入れたフィルムとからなり、前記フィルムを前記ケーブルの上に螺旋状に巻き付けたことを特徴とする図柄入りフィルム巻付ケーブル。
【発明の詳細な説明】
【技術分野】
【０００１】
本発明は、ケーブルの表面に図柄等を表示させることのできる図柄入りフィルム巻付ケーブルに関する発明である。
【背景技術】
【０００２】
通信用のケーブルには、同軸ケーブル、ＬＡＮケーブル又は光ファイバケーブルなど様々なタイプのものが存在する。光ファイバケーブルにおいては、特許文献１記載の発明にように、複数の光ファイバを束ねるためにフィルムで巻いたものも公開されている。
【特許文献１】特開平８−２７１７７３号公報
【０００３】
図５は、従来の光ファイバケーブルの内部を示した図である。光ファイバモジュール６は、複数の光ファイバ６ａとフィルム６ｂからなり、フィルム６ｂが光ファイバ６ａの束を螺旋状に隙間無く巻き付けることで、光ファイバ６ａがバラバラにならないように固定している。
【０００４】
フィルム６ｂが押さえ巻きテープの役割を果たし、その周りをシース等で覆うことで、ケーブルを製造していた。従来では、ケーブルの表面に文字や図柄等を表示する場合には、ケーブルを覆っているシースに直接印刷を行っていた。
【０００５】
ケーブルは、シース自体に色を付ければ様々な色のケーブルを作ることはできるが、ケーブルの種類等を識別したり、模様などを付けて見た目を良くするためには、ケーブルの表面に文字や図柄等が入れられることが好ましい。
【発明の開示】
【発明が解決しようとする課題】
【０００６】
しかしながら、ケーブルは断面が円状であるため、シースに直接印刷するのは簡単ではなく、あまり複雑な図柄などは入れることができない。また、ケーブルをシースで覆う前に、あらかじめシースに図柄を入れておくこともできない。
【０００７】
そこで、本発明は、押さえ巻きに使用していたフィルムを利用して、ケーブルの表面に複雑な文字や図柄でも簡単に入れ、しかも見た目がきれいに仕上げることができる図柄入りフィルム巻付ケーブルを提供することを目的とするものである。
【課題を解決するための手段】
【０００８】
本発明は、上記の課題を解決するために、同軸ケーブル、ＬＡＮケーブル又は光ファイバケーブル等の通信用のケーブルと予め文字や図柄等を入れたフィルムとからなり、前記フィルムを前記ケーブルの上に螺旋状に巻き付けたことを特徴とする図柄入りフィルム巻付ケーブルの構成とした。
【発明の効果】
【０００９】
本発明は、以上の構成であるから以下の効果が得られる。第１に、フィルムにあらかじめ文字や図柄等を入れておくが、平面で描くことができるので簡単であり、また複雑な図柄等でも描くことが可能である。
【００１０】
第２に、フィルムに文字や図柄等を入れることで、ケーブルを見た目に美しいものにすることができ、また、複数のケーブルに異なる文字や図柄等を入れることで、ケーブルの用途や種類などを判別するのに役立ったりする。
【発明を実施するための最良の形態】
【００１１】
同軸ケーブル、ＬＡＮケーブル又は光ファイバケーブル等の通信用のケーブルで、断面に凹凸が少ない円状のケーブルに対して利用する。フィルムを巻き付けた後、透明シース等で被覆することによって固定する。
【実施例１】
【００１２】
以下に、添付図面に基づいて、本発明である図柄入りフィルム巻付ケーブルについて詳細に説明する。図１は、本発明である図柄入りフィルム巻付ケーブルの正面図である。図柄入りフィルム巻付ケーブル１は、図柄入りフィルム２とケーブル３と透明シース５とからなる。
【００１３】
図柄入りフィルム２は、ポリエステル等で出来たテープ状のもので、幅等は様々な大きさのものが使用できるが、厚さはケーブル３に巻いたときに凹凸ができないようになるべく薄いものが好ましい。
【００１４】
図柄入りフィルム２は、ケーブル３に巻き付ける前に文字や図柄等を書いておく。図柄入りフィルム２の色は透明なものでも色付きのものでも構わない。表面にキャラクターの絵を描いたり、表面にラメ等を入れて模様を付けたりするなど自由に編集することが可能である。
【００１５】
ケーブル３は、同軸ケーブル、ＬＡＮケーブル又は光ファイバケーブルその他通信に用いる電線であって、内部に複数の導線をそれぞれ絶縁して束ね、全体をシースで被覆したものである。
【００１６】
ケーブル３は内部の電線の種類は問わないが、外被として覆うシースは凹凸が少なくなるように断面が円状になるようにする。シースにはポリエチレンなどを使用し、様々な色を付けることができる。ケーブル３の長さや太さ等も特に問わない。
【００１７】
図柄入りフィルム２をケーブル３に対して螺旋状に巻き付けていく。巻き付け方は図柄入りフィルム２の端を一部重ねるようにして隙間なく巻いていく。図柄入りフィルム２はケーブル３に巻き付けた後、表面を透明シース５で被覆する。
【００１８】
透明シース５は、ビニール等で出来たチューブ状のものであり、図柄入りフィルム２に表示した内容が見えるように透明なものを使用する。ケーブル３に巻き付けた図柄入りフィルム２が剥がれたり、ずれたりしないように表面全体を覆って固定する。
【００１９】
図２は、本発明である図柄入りフィルム巻付ケーブルを或る通信ケーブルに使用した場合の断面図である。通信ケーブルの一例であり、図柄入りフィルム巻付ケーブル１は、図柄入りフィルム２及び透明シース５については共通であるが、ケーブル３については内部が通信ケーブルによって異なる。
【００２０】
ケーブル３は、電気等を通す導体３ａ、前記導体３ａを被覆して絶縁するポリエチレン絶縁体３ｂ、複数の前記ポリエチレン絶縁体３ｂを束ねる押さえ巻きテープ３ｃ、前記押さえ巻きテープ３ｃを覆う遮蔽テープ３ｄ、前記遮蔽テープ３ｄの上に巻き付ける上巻きテープ３ｅ及び全体を被覆するシース３ｆからなる。
【００２１】
１本の導線は、導体３ａをポリエチレン絶縁体３ｂで被覆したもの２つを１組にしたものであり、ケーブル３としては、中心に２本の導線、その周りに８本の導線を配置した形になっている。
【００２２】
ケーブル３では、１０本の導線に対して、バラバラにならないように押さえ巻きテープ３ｃで巻いている。この押さえ巻きテープ３ｃと同等のものを図柄入りフィルム２として用いている。
【００２３】
押さえ巻きテープ３ｃの上から遮蔽テープ３ｄ及び上巻きテープ３ｅで覆った後、最後にシース３ｆで被覆する。シース３ｆは耐燃性ポリエチレンシース又は塩化ビニルシースであり、表面に図柄入りフィルム２を巻きやすいように凹凸を付けないようにし、形状としては断面が円状になることが好ましい。
【００２４】
図柄入りフィルム２は、押さえ巻きテープ３ｃと同様にテープ状になっていて、ケーブル３に対して螺旋状に巻き付けていく。図柄入りフィルム２を巻き付けた後、さらに表面全体を透明シース５で覆う。
【００２５】
図３は、本発明である図柄入りフィルム巻付ケーブルが光ファイバケーブルの場合の断面図である。通信ケーブルとして光ファイバケーブルを用いた例であり、図柄入りフィルム巻付ケーブル１ａは、図柄入りフィルム２及び透明シース５については共通であるが、光ファイバケーブル４については種類によっては異なる場合がある。
【００２６】
光ファイバケーブル４は、光を伝達する光ファイバ４ａ、前記光ファイバ４ａを保護する金属管４ｂ、前記金属管４ｂを被覆する管被覆４ｃ、複数の前記管被覆４ｃの隙間に埋める介在４ｄ、前記管被覆４ｃと介在４ｄを束ねる押さえ巻き４ｅ、全体を被覆するケーブルシース４ｆ、前記ケーブルシース４ｆを吊るすメッセンジャワイヤー４ｇ、前記メッセンジャワイヤー４ｇを被覆するメッセンジャワイヤー被覆４ｈ及び前記ケーブルシース４ｆとメッセンジャワイヤー被覆４ｈを繋ぐ首部４ｉからなる。
【００２７】
光ファイバケーブル４は、１管１心の光ファイバ４ａを２管配置した全体としては２心タイプのもので、強度の弱い光ファイバ４ａをステンレス等の金属管４ｂで保護し、周りを管被覆４ｃで覆っている。
【００２８】
光ファイバケーブル４では、２本の管被覆４ｃと２本の介在４ｄに対して、バラバラにならないように押さえ巻き４ｅで巻いている。この押さえ巻き４ｅと同等のものを図柄入りフィルム２として用いている。
【００２９】
押さえ巻き４ｅの上はケーブルシース４ｆで被覆する。ケーブルシース４ｆは表面に図柄入りフィルム２を巻きやすいように凹凸を付けないようにし、形状としては断面が円状になることが好ましい。
【００３０】
メッセンジャワイヤー４ｇは、光ファイバケーブル４を敷設する際にガイド的な役割を果たすもので、光ファイバケーブル４に直接力が掛からないように保護している。メッセンジャワイヤー４ｇは、メッセンジャワイヤー被覆４ｈで被覆され、首部４ｉにおいて間欠的に光ファイバケーブル４と繋げられている。
【００３１】
図柄入りフィルム２は、押さえ巻き４ｅと同様にテープ状になっていて、光ファイバケーブル４に対して螺旋状に巻き付けていく。図柄入りフィルム２を巻き付けた後、さらに表面全体を透明シース５で覆う。
【００３２】
図４は、本発明である図柄入りフィルム巻付ケーブルの図柄入りフィルムを示す図である。図柄入りフィルム２は、フィルム２ａの表面に文字２ｂ、図柄２ｃ又は模様２ｄなどを付したものである。
【００３３】
フィルム２ａは、ビニール等で出来た厚さの薄いテープ状のもので、透明でも色が付いていても構わない。文字２ｂ、図柄２ｃ又は模様２ｄなどを書き入れても簡単には落ちず、かつ、ケーブル３等に巻き付きやすいように柔らかい素材が好ましい。
【００３４】
文字２ｂ、図柄２ｃ又は模様２ｄなどは、巻き付ける前のフィルム２ａに対して書き込むので、平らでないシースに直接書き込むよりは全然容易であり、また、フィルム２ａを取り替えるだけで、別の図柄等に簡単に変更できる。
【００３５】
フィルム２ａは、ケーブル３等に螺旋状に巻き付けるため、長い文章等は読みにくくなり向いていないので、文字２ｂの場合は短い単語等、小さな図柄２ｃの繰り返し、一部分でも見た目に美しい模様２ｄなどが好ましい。
【００３６】
フィルム２ａは、ケーブル３等に巻き付ける際には端の部分が少し重なるようにし、隙間が出来ないようにする。巻き付けた後は、表面を透明シース５で覆うことによって、フィルム２ａがケーブル３等から剥がれたり、文字２ｂ、図柄２ｃ又は模様２ｄなどが落ちてしまうのを防ぐ。
【産業上の利用可能性】
【００３７】
同軸ケーブル、ＬＡＮケーブル又は光ファイバケーブル等の通信用のケーブルだけでなく、ケーブルの断面が円状など凹凸が少ない形状であれば、電源コードなど様々なケーブルに対しても利用可能である。
【図面の簡単な説明】
【００３８】
【図１】本発明である図柄入りフィルム巻付ケーブルの正面図である。
【図２】本発明である図柄入りフィルム巻付ケーブルを或る通信ケーブルに使用した場合の断面図である。
【図３】本発明である図柄入りフィルム巻付ケーブルが光ファイバケーブルの場合の断面図である。
【図４】本発明である図柄入りフィルム巻付ケーブルの図柄入りフィルムを示す図である。
【図５】従来の光ファイバケーブルの内部を示した図である。
【符号の説明】
【００３９】
１        図柄入りフィルム巻付ケーブル
１ａ      図柄入りフィルム巻付ケーブル
２        図柄入りフィルム
２ａ      フィルム
２ｂ      文字
２ｃ      図柄
２ｄ      模様
３        ケーブル
３ａ      導体
３ｂ      ポリエチレン絶縁体
３ｃ      押さえ巻きテープ
３ｄ      遮蔽テープ
３ｅ      上巻きテープ
３ｆ      シース
４        光ファイバケーブル
４ａ      光ファイバ
４ｂ      金属管
４ｃ      管被覆
４ｄ      介在
４ｅ      押さえ巻き
４ｆ      ケーブルシース
４ｇ      メッセンジャワイヤー
４ｈ      メッセンジャワイヤー被覆
４ｉ      首部
５        透明シース
６        光ファイバモジュール
６ａ      光ファイバ
６ｂ      フィルム
【図１】
2005190920.tif 000003
【図２】
2005190920.tif 000004
【図３】
2005190920.tif 000005
【図４】
2005190920.tif 000006
【図５】
2005190920.tif 000007